(57)【特許請求の範囲】
【請求項１】
周面に設けられる螺旋状溝を有するねじ軸と、
前記ねじ軸に嵌め設けられ、前記ねじ軸を挿入でき軸線を有する軸穴と、前記軸穴の壁面に設けられ前記螺旋状溝とともに負荷経路を構成する転がり溝と、前記軸線に平行するオイル案内穴と、前記オイル案内穴と前記転がり溝を連通する複数の半径方向オイル穴と、前記半径方向オイル穴のうちの一つと連通する注油穴と、を備えるナットと、
前記負荷経路を循環に転がる複数の玉と、
前記オイル案内穴に設けられる伝導身部と、前記半径方向オイル穴に設けられる伝導連接部と、を備え、前記ナットに設けられると共に、毛氈、又は吸着機能を有する重合物からなる、条状を呈する伝導具と、
前記ナットに設けられ、前記各玉を転向させる少なくとも一つの回流ユニットと、
前記ねじ軸に嵌め設けられ、前記ナットの前記軸穴の両端にそれぞれ設けられる二つの防塵子と、を含み、
前記注油穴に潤滑油を注入すると、前記潤滑油は、一側にある前記伝導連接部から吸入され、前記伝導身部を経て、他側にある前記伝導連接部に伝導されていくことを特徴とするボールねじ用防塵潤滑装置。
【請求項２】
周面に設けられる螺旋状溝を有するねじ軸と、
前記ねじ軸を挿入でき第１軸線を有する第１軸穴と、前記第１軸穴の壁面に設けられ前記螺旋状溝とともに第１負荷経路を構成する第１転がり溝と、前記第１軸線に平行する第１オイル案内穴と、前記第１オイル案内穴と前記第１転がり溝を連通する複数の第１半径方向オイル穴と、前記第１半径方向オイル穴のうちの一つと連通する注油穴と、を備え、前記ねじ軸に嵌め設けられる第１ナットと、
前記ねじ軸に嵌め設けられ、前記第１ナットの一端面に設けられるプレロードユニットと、
前記ねじ軸を挿入でき第１軸線と同軸する第２軸線を有する第２軸穴と、前記第２軸穴の壁面に設けられ、前記螺旋状溝とともに第１負荷経路と連接する第２負荷経路を構成する第２転がり溝と、前記第２軸線に平行する第２オイル案内穴と、前記第２オイル案内穴と前記第２転がり溝を連通する複数の第２半径方向オイル穴と、を備え、前記ねじ軸に嵌め設けられ、前記プレロードユニットを押付ける第２ナットと、
前記第１負荷経路と前記第２負荷経路とを循環に転がる複数の玉と、
前記第１オイル案内穴と前記第２オイル案内穴とに設けられる伝導身部と、前記第１半径方向オイル穴に設けられる第１伝導連接部と、前記第２半径方向オイル穴に設けられる第２伝導連接部と、を備え、前記第１ナットと前記第２ナットとに設けられると共に、毛氈、又は吸着機能を有する重合物からなる、条状を呈する伝導具と、
前記第１ナットに設けられ、前記各玉を転向させる少なくとも一つの第１回流ユニットと、
前記第２ナットに設けられ、前記各玉を転向させる少なくとも一つの第２回流ユニットと、
前記ねじ軸に嵌め設けられ、前記第１ナットの前記第１軸穴の外側にある端面に設けられる第１防塵子と、
前記ねじ軸に嵌め設けられ、前記第２ナットの前記第２軸穴の外側にある端面に設けられる第２防塵子と、を含み、
前記注油穴に潤滑油を注入すると、前記潤滑油は、一側にある前記第１伝導連接部から吸入され、前記伝導身部を経て、他側にある前記第２伝導連接部に伝導されていくことを特徴とするボールねじ用防塵潤滑装置。
【発明の詳細な説明】
【技術分野】
【０００１】
本発明は、ボールねじに関し、特に、ボールねじ用防塵潤滑装置に関するものである。
【背景技術】
【０００２】
市販しているボールねじは、粉塵や汚れがねじ軸とナットの間に侵入することを防止するために、ナットの両端に防塵潤滑装置がそれぞれ設けられ、前記防塵潤滑装置により、玉を潤滑でき、ひいては玉がスムーズに循環できる。しかし、各種類の防塵潤滑装置は、設計によって、異なる欠点がある。
【０００３】
図１は特許文献１の米国特許ＵＳ６２４７５５６号の図面のうちの一つである。図１に示すように、ボールねじのナット１１には、ねじ軸１２の軸線１２１に平行する止り穴１１１が設けられ、且つナット１１の螺旋状溝１１２、又はねじ軸１２の螺旋状溝１２２に、半径方向に沿う穿孔を設けることにより、止り穴１１１に潤滑油を注入した後、潤滑油は、半径方向オイル穴１１３を経由して、ナット１１の螺旋状溝１１２に流入して、螺旋状溝１１２を潤滑できる。しかし、ボールねじが鉛直に配置される場合には、重力により、潤滑油は、上端にある半径方向オイル穴１１３を経由してナット１１の螺旋状溝１１２に流入できない。このように、潤滑油は螺旋状溝１１２を潤滑できない。
【０００４】
図２は特許文献２の米国特許ＵＳ６４５０２９５号の図面のうちの一つである。図２に示すように、ナット１４の両端に、固体潤滑剤１５をそれぞれ設けた後、防塵子１６をそれぞれ嵌め込む。これにより、各防塵子１６は、固体潤滑剤１５をナット１４内に保持できるとともに、固体潤滑剤１５を固定できる。しかし、ボールねじの内部は、固体潤滑剤１５によって潤滑され、固体潤滑剤１５は周期的に交換することが必要であるため、極めて不便である。
【０００５】
図３は特許文献３の米国特許ＵＳ６２１５９６８号の図面のうちの一つである。図３に示すように、ナット１７１の一側にある端部に貯油装置１８が設けられ、貯油装置１８の内部とねじ軸１７２の外面とから、貯油空間１８１が構成される。ボールねじの外部にオイルタンク１９１が設けられる。オイルタンク１９１と貯油装置１８の間にポンプ１９２が設けられ、ポンプ１９２により、オイルタンク１９１の潤滑油は、貯油装置１８の内部に送られて、ねじ軸１７２と直接に接触して、ナット１７１の内部に進入する。このように、潤滑油はねじ軸１７２とナット１７１とを潤滑できる。しかし、このような設計によれば、ナット１７１の一側にある端部に貯油装置１８を別に設けることが必要であるため、ナット１７１の長さが増加し、ボールねじのストロークが減少する。
【先行技術文献】
【特許文献】
【０００６】
【特許文献１】米国特許第６２４７５５６号公報
【特許文献２】米国特許第６４５０２９５号公報
【特許文献３】米国特許第６２１５９６８号公報
【発明の概要】
【発明が解決しようとする課題】
【０００７】
そこで、本発明の主な目的は、ボールねじが鉛直に配置されても、潤滑作業を正常に行うことができるボールねじ用防塵潤滑装置を提供することにある。
【０００８】
本発明の次の目的は、潤滑部材を周期的に交換することが必要ないボールねじ用防塵潤滑装置を提供することにある。
【０００９】
本発明の別の目的は、ボールねじのナットの軸方向に沿う長さを増加せず、ボールねじのストロークを減少しないボールねじ用防塵潤滑装置を提供することにある。
【課題を解決するための手段】
【００１０】
本発明のボールねじ用防塵潤滑装置によると、周面に設けられる螺旋状溝を有するねじ軸と、  前記ねじ軸に嵌め設けられ、前記ねじ軸を挿入でき軸線を有する軸穴と、前記軸穴の壁面に設けられ前記螺旋状溝とともに負荷経路を構成する転がり溝と、前記軸線に平行するオイル案内穴と、前記オイル案内穴と前記転がり溝を連通する複数の半径方向オイル穴と、前記半径方向オイル穴のうちの一つと連通する注油穴と、を備えるナットと、前記負荷経路を循環に転がる複数の玉と、前記オイル案内穴に設けられる伝導身部と、前記半径方向オイル穴に設けられる伝導連接部と、を備え、前記ナットに設けられると共に、毛氈、又は吸着機能を有する重合物からなる、条状を呈する伝導具と、前記ナットに設けられ、前記各玉を転向させる少なくとも一つの回流ユニットと、前記ねじ軸に嵌め設けられ、前記ナットの前記軸穴の両端にそれぞれ設けられる二つの防塵子と、を含み、 前記注油穴に潤滑油を注入すると、前記潤滑油は、一側にある前記伝導連接部から吸入され、前記伝導身部を経て、他側にある前記伝導連接部に伝導されていくことを特徴とする。
【００１１】
本発明のボールねじ用防塵潤滑装置によると、周面に設けられる螺旋状溝を有するねじ軸と、ねじ軸を挿入でき第１軸線を有する第１軸穴と、第１軸穴の壁面に設けられ螺旋状溝とともに第１負荷経路を構成する第１転がり溝と、第１軸線に平行する第１オイル案内穴と、第１オイル案内穴と第１転がり溝を連通する複数の第１半径方向オイル穴と、第１半径方向オイル穴のうちの一つと連通する注油穴と、を備え、ねじ軸に嵌め設けられる第１ナットと、ねじ軸に嵌め設けられ、第１ナットの一端面に設けられるプレロードユニットと、ねじ軸を挿入でき第１軸線と同軸する第２軸線を有する第２軸穴と、第２軸穴の壁面に設けられ、螺旋状溝とともに第１負荷経路と連接する第２負荷経路を構成する第２転がり溝と、第２軸線に平行する第２オイル案内穴と、第２オイル案内穴と第２転がり溝を連通する複数の第２半径方向オイル穴と、を備え、ねじ軸に嵌め設けられ、プレロードユニットを押付ける第２ナットと、第１負荷経路と第２負荷経路とを循環に転がる複数の玉と、第１オイル案内穴と第２オイル案内穴とに設けられる伝導身部と、第１半径方向オイル穴に設けられる第１伝導連接部と、第２半径方向オイル穴に設けられる第２伝導連接部と、を備え、第１ナットと第２ナットとに設けられると共に、毛氈、又は吸着機能を有する重合物からなる、条状を呈する伝導具と、第１ナットに設けられ、各玉を転向させる少なくとも一つの第１回流ユニットと、第２ナットに設けられ、各玉を転向させる少なくとも一つの第２回流ユニットと、ねじ軸に嵌め設けられ、第１ナットの第１軸穴の外側にある端面に設けられる第１防塵子と、ねじ軸に嵌め設けられ、第２ナットの第２軸穴の外側にある端面に設けられる第２防塵子と、前記注油穴に潤滑油を注入すると、前記潤滑油は、一側にある前記第１伝導連接部から吸入され、前記伝導身部を経て、他側にある前記第２伝導連接部に伝導されていくことを特徴とする。
【発明の効果】
【００１２】
本発明のボールねじ用防塵潤滑装置によれば、次のような効果がある。
（１）ボールねじが鉛直に配置されても、潤滑作業を正常に行うことができる。
【００１３】
（２）潤滑部材を周期的に交換することが必要ない。
【００１４】
（３）ボールねじのナットの軸方向に沿う長さを増加せず、ボールねじのストロークを減少しない。
【図面の簡単な説明】
【００１５】
【図１】特許文献１の図面のうちの一つである。
【図２】特許文献２の図面のうちの一つである。
【図３】特許文献３の図面のうちの一つである。
【図４】本発明の実施例１を示す分解斜視図である。
【図５】本発明の実施例１の組合済み状態を示す断面図である。
【図６】本発明の実施例１の使用状態を示す模式図であって、ボールねじが鉛直に設けられる状態を示す。
【図７】本発明の実施例２の組合済み状態を示す断面図である。
【図８】本発明の実施例３の組合済み状態を示す断面図である。
【図９】本発明の実施例４の組合済み状態を示す断面図である。
【図１０】本発明の実施例５の組合済み状態を示す断面図である。
【発明を実施するための形態】
【００１６】
以下、本発明の実施の形態を図面に基づいて説明する。
【実施例１】
【００１７】
図４及び図５を参照する。本実施例のボールねじ用防塵潤滑装置は、ねじ軸２０と、ナット３０と、複数の玉４１と、伝導具５０と、回流ユニットと、二つの防塵子４５と、から構成される。
【００１８】
ねじ軸２０は、周面に設けられる螺旋状溝２１を有する。
【００１９】
ナット３０は、ねじ軸２０に嵌め設けられ、ねじ軸２０を挿入でき軸線３１１を有する軸穴３１と、軸穴３１の壁面に設けられ螺旋状溝２１とともに負荷経路Ａを構成する転がり溝３１２と、端部３２と、端部３２の反対方向にあるフランジ部３３と、端部３２からフランジ部３３への方向に設けられ、軸線３１１に平行するオイル案内穴３４と、フランジ部３３に設けられ、オイル案内穴３４と転がり溝３１２を連通する第１半径方向オイル穴３５と、端部３２に設けられ、オイル案内穴３４と転がり溝３１２を連通する第２半径方向オイル穴３６と、フランジ部３３に設けられ、第１半径方向オイル穴３５と連通する注油穴３７と、を備える。
【００２０】
複数の玉４１は、負荷経路Ａを循環に転がる。
【００２１】
伝導具５０は、条状を呈し、毛氈、又は吸着機能を有する重合物である。伝導具５０は、ナット３０に設けられ、オイル案内穴３４に設けられる伝導身部５１と、第１半径方向オイル穴３５に設けられる伝導連接部５２と、第２半径方向オイル穴３６に設けられる伝導連接部５３と、を備える。
【００２２】
回流ユニットは、ナット３０に設けられ、各玉４１を転向させる。本実施例では、回流ユニットは、二つの回流子４３であり、ナット３０の軸穴３１の両端にそれぞれ設けられる。もちろん、回流ユニットは、ナット３０の外部に設けられ、外部循環の形態にしてもいいし、他の周知の形態にしてもよい。回流ユニットにより各玉４１を転向させるという技術は、周知の技術であり、その作動方式が周知の技術と同じであり、且つそれは本発明の重点ではないため、部材の詳細な構成及び作動方式の説明を省略した。
【００２３】
二つの防塵子４５は、ねじ軸３０に嵌め設けられ、ナット３０の軸穴３１の両端に、回流子４３をそれぞれ押付ける。このように、粉塵や汚れはねじ軸２０とナット３０の間に侵入できず、防塵の目的を達成できる。
【００２４】
次に、本発明の組付方法を説明する。図５に示すように、本発明のボールねじ用防塵潤滑装置を水平に設置するときには、ナット３０の注油穴３７に注入される潤滑油（矢印に示すように）は、第１半径方向オイル穴３５を経由して、ナット３０の転がり溝３１２の内部に到達する。このように、潤滑油は、各玉４１とねじ軸２０の螺旋状溝２１とを潤滑できる。このとき、第１半径方向オイル穴３５に設けられる伝導具５０の伝導連接部５２が潤滑油に浸されることにより、伝導具５０が潤滑油を吸入して、潤滑油は、一側にある伝導連接部５２から、他側にある伝導連接部５３に伝導されて、第２半径方向オイル穴３６に流入して、ナット３０の転がり溝３１２の内部に到達する。このように、潤滑油は、各玉４１とねじ軸２０の螺旋状溝２１とを同時に潤滑できる。すなわち、本実施例のボールねじ用防塵潤滑装置によれば、ボールねじの内部を確実で有効に潤滑できる。
【００２５】
本発明は、ナット３０の内部の構成について設計し、且つナット３０の内部に設けられる伝導具５０を採用するため、ボールねじの内部を確実で有効に潤滑できる。そしてボールねじのナット３０の軸方向に沿う長さを増加せず、ボールねじのストロークを減少しない。
【００２６】
一方、ナット３０の内部に設けられる伝導具５０は、潤滑油を送るためのものであり、自体から潤滑油を提供しないため、周期的に交換する必要がない。
【００２７】
図６に示すように、本発明のボールねじ用防塵潤滑装置が鉛直に設置されるときには、ナット３０の注油穴３７に注入される潤滑油は、第１半径方向オイル穴３５を経由して、ナット３０の転がり溝３１２の内部に到達する。そして第１半径方向オイル穴３５に設けられる伝導具５０の伝導連接部５２が潤滑油に挿入され、毛細管現象により、潤滑油は、伝導具５０に吸い上げられて、下方にある伝導連接部５２から、上方にある伝導連接部５３に流入して、第２半径方向オイル穴３６に流入して、ナット３０の転がり溝３１２に到達する。このように、潤滑油は、各玉４１とねじ軸２０の螺旋状溝２１とを同時に潤滑できる。すなわち、本実施例のボールねじ用防塵潤滑装置によれば、ボールねじが鉛直に配置されても、潤滑作業を正常に行うことができる。
【実施例２】
【００２８】
図７を参照する。本実施例のボールねじ用防塵潤滑装置は、ねじ軸２０と、ナット３０と、複数の玉４１と、伝導具５０と、回流ユニットと、二つの防塵子４５と、から構成される。本実施例は、その構成及び効果が実施例１と同じであるため、説明を省略した。本実施例の実施例１と相違する点は下記にある。
【００２９】
ねじ軸２０には、材質が伝導具５０と同じである伝導リング６１、６２が設けられる。伝導リング６１、６２は、回流子４３と防塵子４５の間に位置する。伝導リング６１は、第１半径方向オイル穴３５に設けられる外リング部６１１と、ねじ軸２０の螺旋状溝２１に設けられる内リング部６１２と、を有する。伝導リング６２は、第２半径方向オイル穴３６に設けられる外リング部６２１と、ねじ軸２０の螺旋状溝２１に設けられる内リング部６２２と、を有する。このため、外リング部６１、６２が潤滑油を吸収した後、潤滑油がねじ軸２０の螺旋状溝２１の内部に迅速に流入して、ねじ軸２０の螺旋状溝２１を確実に潤滑できる。
【実施例３】
【００３０】
図８を参照する。本実施例のボールねじ用防塵潤滑装置は、ねじ軸２０Ａと、第１ナット３０Ａと、プレロードユニット４０Ａと、第２ナット５０Ａと、複数の玉６１Ａと、伝導具７０Ａと、第１回流ユニットと、第２回流ユニットと、第１防塵子６７Ａと、第２防塵子６９Ａと、から構成される。本実施例は、その効果が実施例１と同じであるため、説明を省略した。
【００３１】
ねじ軸２０Ａは、周面に設けられる螺旋状溝２１Ａを有する。
【００３２】
第１ナット３０Ａは、ねじ軸２０Ａに嵌め設けられ、ねじ軸２０Ａを挿入でき第１軸線３１１Ａを有する第１軸穴３１Ａと、第１軸穴３１Ａの壁面に設けられ螺旋状溝２１Ａとともに第１負荷経路Ｂを構成する第１転がり溝３１２Ａと、第１軸線３１１Ａに平行する第１オイル案内穴３２Ａと、フランジ部３３Ａと、フランジ部３３Ａに設けられ、第１オイル案内穴３２Ａと第１転がり溝３１２Ａを連通する第１半径方向オイル穴３４Ａと、フランジ部３３Ａに設けられ、第１半径方向オイル穴３４Ａと連通する注油穴３５Ａと、を備える。
【００３３】
プレロードユニット４０Ａは、Ｃ字形を呈する二つのプレロード片から構成され、ねじ軸２０Ａに嵌め設けられ、第１ナット３０Ａの端面３６Ａに設けられる。端面３６Ａはフランジ部３３Ａの反対側に位置する。
【００３４】
第２ナット５０Ａは、ねじ軸２０Ａに嵌め設けられ、プレロードユニット４０Ａを押付け、ねじ軸２０Ａを挿入でき第１軸線３１１Ａと同軸する第２軸線５１１Ａを有する第２軸穴５１Ａと、第２軸穴５１Ａの壁面に設けられ、螺旋状溝２１Ａとともに第１負荷経路Ｂと連接する第２負荷経路Ｃを構成する第２転がり溝５１２Ａと、第２軸線５１１Ａに平行する第２オイル案内穴５２Ａと、第２オイル案内穴５２Ａと第２転がり溝５１２Ａを連通する第２半径方向オイル穴５３Ａと、を備える。
【００３５】
複数の玉６１Ａは、第１負荷経路Ｂと第２負荷経路Ｃとを循環に転がる。
【００３６】
伝導具７０Ａは、第１ナット３０Ａと第２ナット５０Ａとに設けられ、第１オイル案内穴３２Ａと第２オイル案内穴５２Ａとに設けられる伝導身部７１Ａと、第１半径方向オイル穴３４Ａに設けられる第１伝導連接部７２Ａと、第２半径方向オイル穴５３Ａに設けられる第２伝導連接部７３Ａと、を備える。本実施例では、伝導身部７１Ａがプレロードユニット４０Ａに押付けられて、若干に変形する。
【００３７】
第１回流ユニットは、第１ナット３０Ａに設けられ、各玉４１Ａを転向させる。本実施例では、第１回流ユニットは、二つの第１回流子６３Ａであり、第１ナット３０Ａの第１軸穴３１Ａの両端にそれぞれ設けられる。もちろん、第１回流ユニットは、第１ナット３０Ａの外部に設けられ、外部循環の形態にしてもいいし、他の周知の形態にしてもよい。第１回流ユニットにより各玉４１Ａを転向させるという技術は、周知の技術であり、その作動方式が周知の技術と同じであり、且つそれは本発明の重点ではないため、部材の詳細な構成及び作動方式の説明を省略した。
【００３８】
第２回流ユニットは、第２ナット５０Ａに設けられ、各玉４１Ａを転向させる。本実施例では、第２回流ユニットは、二つの第２回流子６５Ａであり、第２ナット５０Ａの第２軸穴５１Ａの両端にそれぞれ設けられる。もちろん、第２回流ユニットは、第２ナット５０Ａの外部に設けられ、外部循環の形態にしてもいいし、他の周知の形態にしてもよい。第２回流ユニットにより各玉４１Ａを転向させるという技術は、周知の技術であり、その作動方式が周知の技術と同じであり、且つそれは本発明の重点ではないため、部材の詳細な構成及び作動方式の説明を省略した。
【００３９】
第１防塵子６７Ａは、ねじ軸２０Ａに嵌め設けられ、第１ナット３０Ａの第１軸穴３１Ａの外側にある端面に設けられ、第１回流子６３Ａに押付ける。
【００４０】
第２防塵子６９Ａは、ねじ軸２０Ａに嵌め設けられ、第２ナット５０Ａの第２軸穴５１Ａの外側にある端面に設けられ、第２回流子６５Ａに押付ける。
【実施例４】
【００４１】
図９を参照する。本実施例のボールねじ用防塵潤滑装置は、ねじ軸２０Ａと、第１ナット３０Ａと、プレロードユニット４０Ａと、第２ナット５０Ａと、複数の玉６１Ａと、伝導具７０Ａと、二つの第１回流子６３Ａと、二つの第２回流子６５Ａと、第１防塵子６７Ａと、第２防塵子６９Ａと、から構成される。本実施例は、その構成及び効果が実施例３と同じであるため、説明を省略した。本実施例の実施例３と相違する点は下記にある。
【００４２】
ねじ軸２０Ａには、材質が伝導具７０Ａと同じである、第１伝導リング８１Ａと、第２伝導リング８２Ａと、が設けられる。第１伝導リング８１Ａは、第１半径方向オイル穴３４Ａに設けられる第１外リング部８１１Ａと、ねじ軸２０Ａの螺旋状溝２１Ａに設けられる第１内リング部８１２Ａと、を有し、第１回流子６３Ａと第１防塵子６７Ａの間に位置する。第２伝導リング８２Ａは、第２半径方向オイル穴５３Ａに設けられる第２外リング部８２１Ａと、ねじ軸２０Ａの螺旋状溝２１Ａに設けられる第２内リング部８２２Ａと、を有し、第２回流子６５Ａと第２防塵子６９Ａの間に位置する。
【実施例５】
【００４３】
図１０を参照する。本実施例のボールねじ用防塵潤滑装置は、ねじ軸２０Ａと、第１ナット３０Ａと、プレロードユニット４０Ａと、第２ナット５０Ａと、複数の玉６１Ａと、伝導具と、二つの第１回流子６３Ａと、二つの第２回流子６５Ａと、第１防塵子６７Ａと、第２防塵子６９Ａと、から構成される。本実施例は、その構成及び効果が実施例３と同じであるため、説明を省略した。本実施例の実施例３と相違する点は下記にある。
【００４４】
前記伝導具は、伝導片７６Ａと、第１伝導条７７Ａと、第２伝導条７８Ａと、から構成される。
【００４５】
伝導片７６Ａは、第１ナット３０Ａと第２ナット５０Ａの間に設けられ、プレロードユニット４０Ａに押付けられ、第１端面７６１Ａと、第２端面７６２Ａと、を有する。
【００４６】
第１伝導条７７Ａは、第１オイル案内穴３２Ａに設けられる第１伝導身部７７１Ａと、第１半径方向オイル穴３４Ａに設けられる第１伝導連接部７２Ａと、第１端面７６１Ａに当接する第１接触部７７２Ａと、を有し、第１ナット３０Ａに設けられる。
【００４７】
第２伝導条７８Ａは、第２オイル案内穴５２Ａに設けられる第２伝導身部７８１Ａと、第２半径方向オイル穴５３Ａに設けられる第２伝導連接部７３Ａと、第２端面７６２Ａに当接する第２接触部７８２Ａと、を有し、第２ナット５０Ａに設けられる。
【産業上の利用可能性】
【００４８】
本発明は、ボールねじに適用することができる。
【符号の説明】
【００４９】
１１：ナット
１２：ねじ軸
１４：ナット
１５：固体潤滑剤
１６：防塵子
１８：貯油装置
２０：ねじ軸
２１：螺旋状溝
３０：ナット
３１：軸穴
３２：端部
３３：フランジ部
３４：オイル案内穴
３５：第１半径方向オイル穴
３６：第２半径方向オイル穴
３７：注油穴
４１：玉
４３：回流子
４５：防塵子
５０：伝導具
５１：伝導身部
５２，５３：伝導連接部
６１，６２：伝導リング
１１１：止り穴
１１２：螺旋状溝
１１３：半径方向オイル穴
１２１：軸線
１２２：螺旋状溝
１７１：ナット
１７２：ねじ軸
１８１：貯油空間
１９１：オイルタンク
１９２：ポンプ
３１１：軸線
３１２：転がり溝
６１１，６２１：外リング部
６１２，６２２：内リング部
２０Ａ：ねじ軸
２１Ａ：螺旋状溝
３０Ａ：第１ナット
３１Ａ：第１軸穴
３２Ａ：第１オイル案内穴
３３Ａ：フランジ部
３４Ａ：第１半径方向オイル穴
３５Ａ：注油穴
３６Ａ：端面
４０Ａ：プレロードユニット
５０Ａ：第２ナット
５１Ａ：第２軸穴
５２Ａ：第２オイル案内穴
５３Ａ：第２半径方向オイル穴
６１Ａ：玉
６３Ａ：第１回流子
６５Ａ：第２回流子
６７Ａ：第１防塵子
６９Ａ：第２防塵子
７０Ａ：伝導具
７１Ａ：伝導身部
７２Ａ：第１伝導連接部
７３Ａ：第２伝導連接部
７６Ａ：伝導片
７７Ａ：第１伝導条
７８Ａ：第２伝導条
８１Ａ：第１伝導リング
８２Ａ：第２伝導リング
３１１Ａ：第１軸線
３１２Ａ：第１転がり溝
５１１Ａ：第２軸線
５１２Ａ：第２転がり溝
７６１Ａ：第１端面
７６２Ａ：第２端面
７７１Ａ：第１伝導身部
７７２Ａ：第１接触部
７８１Ａ：第２伝導身部
７８２Ａ：第２接触部
８１１Ａ：第１外リング部
８１２Ａ：第１内リング部
８２１Ａ：第２外リング部
８２２Ａ：第２内リング部
Ａ：負荷経路
Ｂ：第１負荷経路
Ｃ：第２負荷経路
【図１】
0005599845.tif 000002
【図２】
0005599845.tif 000003
【図３】
0005599845.tif 000004
【図４】
0005599845.tif 000005
【図５】
0005599845.tif 000006
【図６】
0005599845.tif 000007
【図７】
0005599845.tif 000008
【図８】
0005599845.tif 000009
【図９】
0005599845.tif 000010
【図１０】
0005599845.tif 000011